(57)【要約】【課題】ゴムパッドを設けなくとも、装着時の痛みを抑制することが可能な、未就学児童用計測プローブおよび未就学児童用脳機能計測装置を提供する。【解決手段】この未就学児童用計測プローブ１００は、被検体である未就学児童の頭部に光を照射するファイバ１と、ファイバ１の先端部の外周面を覆うようにファイバ１に設けられ、ゴムを除く金属または樹脂で形成された保持部２とを備え、未就学児童Ｓの頭部と接触する前記ファイバ１の先端部の先端面が平坦であり、保持部２の未就学児童Ｓの頭部に接触する先端部２ａの角部２２は、面取りされている。【選択図】図１
2020156973.tif 000002
【特許請求の範囲】
【請求項１】
被検体の頭部に接触した状態で配置される脳機能測定用の未就学児童用計測プローブであって、
前記被検体である未就学児童の頭部に光を照射するファイバと、
前記ファイバの先端部の外周面を覆うように前記ファイバに設けられ、ゴムを除く金属または樹脂で形成された保持部とを備え、
前記被検体の頭部と接触する前記ファイバの先端部の先端面が平坦であり、
前記保持部の前記被検体の頭部に接触する先端面の角部は、面取りされている、未就学児童用計測プローブ。
【請求項２】
前記保持部の前記被検体の頭部に接触する先端面の角部は、Ｒ面取りされている、請求項１に記載の未就学児童用計測プローブ。
【請求項３】
前記保持部は、金属により形成されているとともに、金属により形成されている前記保持部の先端面の角部がＲ面取りされている、請求項２に記載の未就学児童用計測プローブ。
【請求項４】
前記保持部の外周面に配置され、前記保持部を前記被検体の頭部に付勢する付勢部材と、
前記付勢部材の移動を規制するためのストッパと、をさらに備え、
前記保持部の外周面には、前記ストッパを固定するための凹部が設けられている、請求項１〜３のいずれか１項に記載の未就学児童用計測プローブ。
【請求項５】
前記ファイバはＬ字形状に屈曲されており、
前記先端面の角部が面取りされている前記保持部は、前記ファイバの前記Ｌ字形状の屈曲部を覆うとともに、前記ファイバの先端まで延びるように構成されている、請求項１〜４のいずれか１項に記載の未就学児童用計測プローブ。
【請求項６】
装置本体部と、
前記装置本体部に電気的に接続された複数の未就学児童用計測プローブと、
前記複数の未就学児童用計測プローブが取り付けられ、前記複数の未就学児童用計測プローブが被検体である未就学児童の頭部に接続した状態を保持するホルダと、を備え、
前記未就学児童用計測プローブは、
前記被検体である未就学児童の頭部に光を照射するファイバと、
前記ファイバの先端部の外周面を覆うように前記ファイバに設けられ、ゴムを除く金属または樹脂で形成された保持部とを含み、
前記被検体の頭部と接触する前記ファイバの先端部の先端面が平坦であり、
前記保持部の前記被検体の頭部に接触する先端面の角部は、面取りされている、未就学児童用脳機能計測装置。
【請求項７】
前記未就学児童用計測プローブと前記装置本体部との間に設けられ、前記複数の未就学児童用計測プローブと前記装置本体部とが接続されるとともに、前記装置本体部と前記未就学児童用計測プローブとの間で所定の信号を送受信可能に構成されたプローブ中継端子部をさらに備える、請求項６に記載の未就学児童用脳機能計測装置。
【発明の詳細な説明】
【技術分野】
【０００１】
本発明は、未就学児童用計測プローブおよび未就学児童用脳機能計測装置に関し、特に、脳機能計測時に、未就学児童の頭部に接触した状態で配置される未就学児童用計測プローブおよび未就学児童用脳機能計測装置に関する。
【背景技術】
【０００２】
従来、脳機能計測時において、被検体の頭部に複数の計測プローブを配置する構成が知られている（たとえば、特許文献１参照）。
【０００３】
上記特許文献１には、被検体の頭部に装着されるホルダと、ホルダに装着される複数のプローブとを備えた生体光計測装置が開示されている。特許文献１の生体光計測装置は、プローブの光ファイバの先端部にゴムパッドを装着したことにより、被検体の頭皮に対する圧力を分散して、装着時の被検体の痛みを軽減している。なお、特許文献１には明記されていないが、生体光計測装置により、被検体の脳機能を精度よく計測するためには、所定数以上（比較的多く）のプローブが必要とされる。
【先行技術文献】
【特許文献】
【０００４】
【特許文献１】特開２００８−３０７３１８号公報
【発明の概要】
【発明が解決しようとする課題】
【０００５】
ここで、生体光計測装置を頭部の小さい未就学児童に使用する場合に、計測制度を維持するためにプローブの数を減らすことなく、頭部の大きさに合わせてホルダを小さくする必要がある。しかしながら、ホルダを小さくするとプローブ間のスペースが小さくなり、プローブにゴムパッドを装着することができない。そのため、装着時に痛みを伴う場合があるという問題点がある。
【０００６】
この発明は、上記のような課題を解決するためになされたものであり、この発明の１つの目的は、ゴムパッドを設けなくとも、装着時の痛みを軽減することが可能な、未就学児童用計測プローブおよび未就学児童用脳機能計測装置を提供することである。
【課題を解決するための手段】
【０００７】
上記目的を達成するために、この発明の第１の局面における未就学児童用計測プローブは、未就学児童の頭部に接触した状態で配置される脳機能測定用の未就学児童用計測プローブであって、被検体である未就学児童の頭部に光を照射するファイバと、ファイバの先端部の外周面を覆うようにファイバに設けられ、ゴムを除く金属または樹脂で形成された保持部とを備え、被検体の頭部と接触するファイバの先端部の先端面が平坦であり、保持部の被検体の頭部に接触する先端面の角部は、面取りされている。
【０００８】
上記目的を達成するために、この発明の第２の局面における未就学児童用脳機能計測装置は、装置本体部と、装置本体部に電気的に接続された複数の未就学児童用計測プローブと、複数の未就学児童用計測プローブが取り付けられ、複数の未就学児童用計測プローブが被検体である未就学児童の頭部に接続した状態を保持するホルダと、を備え、未就学児童用計測プローブは、被検体である未就学児童の頭部に光を照射するファイバと、ファイバの先端部の外周面を覆うようにファイバに設けられた、ゴムを除く金属または樹脂で形成された保持部とを含み、保持部の被検体の頭部に接触する先端面の角部は、面取りされている。
【発明の効果】
【０００９】
本発明によれば、上記のように、被検体である未就学児童の頭部に光を照射するファイバと、ファイバの先端部の外周面を覆うようにファイバに設けられ、ゴムを除く金属または樹脂で形成された保持部を備えた、未就学児童の頭部に接触した状態で配置される脳機能測定用の未就学児童用計測プローブであって、保持部の被検体の頭部に接触する先端面の角部は、面取りされている。これにより、ゴムを除く金属または樹脂で形成され、ファイバの先端部の外周面を覆う保持部の被検体の頭部に接触する先端面の角部が面取りされていることにより、頭部にかかる圧力が軽減されるため、ゴムパッドを設けなくとも、装着時の痛みを軽減することができる。
【図面の簡単な説明】
【００１０】
【図１】一実施形態による未就学児童用脳機能計測装置を示した模式的な斜視図である。
【図２】一実施形態による未就学児童用脳機能計測装置の構成を示すブロック図である。
【図３】一実施形態による未就学児童用脳機能計測装置の装着状態を示した図である。
【図４】一実施形態による未就学児童用計測プローブの模式的な断面図である。
【図５】一実施形態によるアダプタにキャップを取り付ける様子を示した図である。
【図６】一実施形態による未就学児童用プローブをホルダに取り付けた様子を示す図である。
【図７】一実施形態による複数の未就学児童用プローブをホルダに取り付けた様子を示す図である。
【図８】一実施形態による未就学児童用プローブの付勢部材の動きを説明するための図である。
【発明を実施するための形態】
【００１１】
以下、本発明を具体化した実施形態を図面に基づいて説明する。
【００１２】
（未就学児童用脳機能計測装置２００の全体構成）
まず、図１を参照して、実施形態による未就学児童用計測プローブ１００を備えた未就学児童用脳機能計測装置２００について説明する。なお、未就学児童Ｓとは、小学校に入学前の０歳から６歳の子供である。また、未就学児童Ｓは、特許請求の範囲に記載した「被検体」の一例である。
【００１３】
未就学児童用脳機能計測装置２００は、複数の未就学児童用計測プローブ１００と、ホルダ２０と、装置本体部６とを備えている。
【００１４】
図２に示すように、装置本体部６は、光出力部２０１と、光検出部２０２と、計測制御部２０３と、本体制御部２０４と、主記憶部２０５と、測定結果を表示する表示部２０６および操作入力部２０７とを含んでいる。
【００１５】
光出力部２０１は、未就学児童用計測プローブ１００に光を出力するように構成されている。光出力部２０１は、たとえば、半導体レーザーを光源として有している。光検出部２０２は、未就学児童用計測プローブ１００に入射した光を検出するように構成されている。光検出部２０２は、たとえば、光電子増倍管を検出器として有している。
【００１６】
計測制御部２０３は、光出力部２０１および光検出部２０２の動作制御を行うように構成されている。本体制御部２０４は、各種プログラムを実行して未就学児童用脳機能計測装置２００全体の計測動作制御を実行するように構成されている。主記憶部２０５は、本体制御部２０４が実行する各種プログラムや、計測の結果得られた計測データを記憶するように構成されている。
【００１７】
（未就学児童用計測プローブの詳細な構成）
図３に示すように、複数の未就学児童用計測プローブ１００は、ホルダ２０により、各々の先端が被検体である未就学児童Ｓの頭部に接触した状態で配置される。
【００１８】
未就学児童用計測プローブ１００は、複数の送光用プローブ１００ａと、複数の受光用プローブ１００ｂとを含んでいる。
【００１９】
送光用プローブ１００ａは、未就学児童Ｓの頭部に光を照射するように構成されている。受光用プローブ１００ｂは、未就学児童Ｓの頭部を透過して、未就学児童Ｓの体内で反射した光を受光するように構成されている。なお、送光用プローブ１００ａおよび受光用プローブ１００ｂは、互いに用途は異なるが、同一の構造を有している。なお、一例ではあるが、送光用プローブ１００ａおよび受光用プローブ１００ｂは、互いに同種のプローブが隣接して配置されることがないように、交互に配置されている。
【００２０】
送光用プローブ１００ａは、未就学児童Ｓの頭部表面に接触状態で配置されており、近赤外光の波長領域の光を未就学児童Ｓの頭部に照射するように構成されている。受光用プローブ１００ｂは、未就学児童Ｓの頭部表面に接触状態で配置されており、未就学児童Ｓの体内で反射した光を入射させて検出するように構成されている。これにより、未就学児童用脳機能計測装置２００は、光の強度を取得するように構成されている。
【００２１】
未就学児童用脳機能計測装置２００は、近赤外光の波長領域の光を未就学児童Ｓの頭部表面上に配置した送光用プローブ１００ａから照射する。そして、被検体内で反射した計測光を頭部表面上に配置した受光用プローブ１００ｂに入射させて検出することにより、光の強度（受光量）を取得する。
【００２２】
未就学児童用脳機能計測装置２００は、脳機能の測定に用いられる。脳機能の測定の一例は、近赤色光を未就学児童Ｓに照射し、反射した近赤色光を検出して行われる。これは、近赤色光が血管内を流れる血液に含まれるヘモグロビンに吸収される性質を利用した測定法である。ヘモグロビンは、脳が活発に機能しているときに、必要となる酸素を供給するために量が多くなる。そのため、脳活動を反映して、脳内のヘモグロビン量が活性化部位で増大すると、ヘモグロビンによる計測光の吸収量が増大する。このため、取得した近赤色光の強度に基づいて脳活動に伴うヘモグロビン量の変化を取得することが可能である。
【００２３】
未就学児童用脳機能計測装置２００は、複数の送光用プローブ１００ａおよび複数の受光用プローブ１００ｂを用いて広い脳領域を複数点（計測チャンネル）で計測することにより、脳のどの領域がどのように活動しているかの２次元分布を取得することが可能となっている。
【００２４】
ホルダ２０は、頭部形状に合わせた曲面形状を有している。ホルダ２０には、頭部の表面形状に沿って、等間隔で行列状に配列された多数のアダプタ２１が設けられている。アダプタ２１は、円筒形状を有しており、未就学児童用計測プローブ１００（ファイバ１）が内側に挿通されている。なお、図３に示したホルダ２０は、頭部全体に未就学児童用計測プローブ１００を配置可能な全頭用タイプであり、頭部の脳機能計測領域全体をカバーするヘルメット形状に形成されている。アダプタ２１は、未就学児童用計測プローブ１００の形状に合わせた円孔となっている。ホルダ２０には、それぞれのアダプタ２１に１つずつ未就学児童用計測プローブ１００を取り付けて固定することが可能となっている。
【００２５】
使用者は、計測したい頭部の各部位（前額部、頭頂部、側頭部、頭部全体など）に応じてアダプタ２１への未就学児童用計測プローブ１００の配置を決定して、未就学児童用計測プローブ１００をホルダ２０に取り付ける。未就学児童用計測プローブ１００の取り付けに際して、送光用プローブ１００ａと受光用プローブ１００ｂとは、行および列の各方向に交互に並ぶようにして各アダプタ２１に配置される。これにより、隣接する送光用プローブ１００ａと受光用プローブ１００ｂとの間に計測チャンネル（計測点）が形成される。
【００２６】
ホルダ２０は、固定用のベルト（顎ひも）などを用いて未就学児童Ｓの頭部に固定されるように構成されている。そのため、使用状態（装着状態）では、各未就学児童用計測プローブ１００には、接触状態の維持や位置ずれの防止のための接触圧力が頭部表面側に向けて作用する。アダプタ２１の間隔（円の中心間の距離）は、たとえば、２５ｍｍ、２０ｍｍなどのように、大人用のホルダ２０よりも小さく設定される。
【００２７】
図４に示すように、未就学児童用計測プローブ１００は、ファイバ１と、ファイバ１の外周面１ａを覆う保持部２とを含んでいる。
【００２８】
未就学児童用計測プローブ１００は、ファイバ１から未就学児童Ｓである未就学児童Ｓの頭部に光を照射するように構成されている。ファイバ１は、たとえば、ガラス、または、プラスチックで形成された光ファイバである。ファイバ１は、屈曲部１ｂを有しており、Ｌ字状に屈曲している。ファイバ１の未就学児童Ｓの頭部と接触する先端部の先端面は、装着時に未就学児童Ｓに痛みが伴わないために平坦に形成されている。
【００２９】
保持部２は、ファイバ１の先端部の外周面１ａを覆うように取り付けられている。未就学児童用計測プローブ１００は、ホルダ２０に取り付けて使用するため、ゴムによってファイバ１の先端部の外周面１ａを覆うとゴムが外れる可能性がある。そのため、保持部２は、ファイバ１の強度を補強しつつ、面取り加工が可能なゴムを除く金属または樹脂で形成されている。
【００３０】
保持部２は、ファイバ１のＬ字状の屈曲部１ｂを覆うとともに、ファイバ１の先端まで延びるように構成されている。保持部２は、ファイバ１から照射される光を遮らないように構成されている。具体的には、保持部２は、ファイバ１の未就学児童Ｓの頭部に接触する先端面を覆わずに、ファイバ１の半径方向外側の環状の外周面を覆うように構成されている。
【００３１】
ファイバ１は、未就学児童Ｓの頭部に直接接触して、ファイバ１を破損させることがないように、および、未就学児童Ｓに怪我をさせることがないように、保持部２から突出しないように構成されている。
【００３２】
保持部２の未就学児童Ｓの頭部に接触する先端部２ａの角部２２は、面取りされている。面取りは、たとえば、Ｒ面取りである。
【００３３】
Ｒ面取りの大きさは、ファイバ１のコアに影響が出ないように設定される。たとえば、Ｒ面取りの大きさは、ファイバ１が１ｍｍ、未就学児童用計測プローブ１００の直径が４ｍｍの場合、０．３ｍｍ以上１．５ｍｍ以下に設定される。保持部２は、Ｒ面取りされることにより、緩衝用のパッドを設けなくとも未就学児童Ｓが受ける未就学児童用計測プローブ１００による頭部に対する圧力を軽減することができる。
【００３４】
図４に示すように、未就学児童用計測プローブ１００は、外周面２ｂに付勢部材３とストッパ４とが取り付けられている。付勢部材３は、保持部２の外周面２ｂに配置される。付勢部材３は、たとえば、コイルバネである。付勢部材３は、ストッパ４に接触している。ストッパ４は、保持部２の外周に設けられた凹部２ｃに固定されている。
【００３５】
未就学児童用計測プローブ１００は、外周面２ｂにキャップ５が取り付けられる。キャップ５は、未就学児童用計測プローブ１００をホルダ２０のアダプタ２１に取り付けて固定する際に使用される。
【００３６】
図５は、アダプタ２１にストッパ４とキャップ５とを取り付ける様子を説明するための図であり、付勢部材３と未就学児童用計測プローブ１００は省略している。また、図５に示す、アダプタ２１、ストッパ４およびキャップ５は、図示されていない部分と図示されている部分とは対称形状である。
【００３７】
アダプタ２１は、外周面２ｂの２か所に第１爪部２１ａを有している。第１爪部２１ａは、Ｘ方向、またはＺ方向のいずれか１方向のみに設けられる。アダプタ２１は、内部に載置面２１ｂを有している。
【００３８】
ストッパ４は、全体として円筒形状を有している。ストッパ４は、未就学児童用計測プローブ１００（ファイバ１）が内側に挿通されている。ストッパ４は、円筒部４１と、鍔部４２とを有している。
【００３９】
円筒部４１は、Ｙ方向に延びる貫通穴を有した円筒形状を有している。鍔部４２は、円筒部４１のＹ１方向端部の外周面に設けられている。鍔部４２は、円筒部４１の全周から半径方向外側に突出している。ストッパ４は、アダプタ２１の内部に配置されており、鍔部４２の底面４２ａを載置面２１ｂに当接させることにより、移動が規制されている。これにより、ストッパ４は、アダプタ２１に対して位置決めされている。
【００４０】
キャップ５には、アダプタ２１が係合される。キャップ５には、アダプタ２１を取り付けるための第２爪部５ａが設けられている。キャップ５へのアダプタ２１の取り付けは、次のように行う。まず、キャップ５の第２爪部５ａとアダプタ２１の第１切欠き部２１ｃとが一致するように、キャップ５をアダプタ２１に挿入する。そして、キャップ５が回動されることにより、第１爪部２１ａがキャップ５のＵ字形状の溝部５ｂ（キャップ５の内周面に設けられた部分であり、半径方向外側に窪む部分）に引っかかる。その結果、アダプタ２１がキャップ５に係合される。その結果、キャップ５（ホルダ２０）に対して、未就学児童用計測プローブ１００が固定される。
【００４１】
図６に示すように、未就学児童用計測プローブ１００は、外周面２ｂに取り付けられたキャップ５によってホルダ２０のアダプタ２１に取り付けられる。この状態で、未就学児童Ｓにホルダ２０を装着することにより、未就学児童用計測プローブ１００が未就学児童Ｓの頭部に接触する。図６に示すように、アダプタ２１の先端には、スポンジ２１ｄが取り付けられている。
【００４２】
図８に示すように、未就学児童用計測プローブ１００の先端が未就学児童Ｓの頭部に対して押圧されると、ファイバ１と、保持部２が軸方向（Ｙ１方向）に相対移動する。このため、未就学児童用計測プローブ１００は、未就学児童Ｓの形状に合わせて未就学児童用計測プローブ１００の先端部が軸方向（Ｙ方向）にストローク（移動）可能となっている。また、未就学児童用計測プローブ１００が、軸方向にストロークすることにより、付勢部材３がストッパ４によって押されるため、付勢される。付勢部材３の付勢力によって未就学児童用計測プローブ１００の先端部２ａと頭部表面との接触状態を維持するように構成されている。
【００４３】
図１に示すように、本実施形態では、未就学児童用脳機能計測装置２００は、未就学児童用計測プローブ１００と装置本体部６との間に、プローブ中継端子部７が設けられている。プローブ中継端子部７には、多数の未就学児童用計測プローブ１００の端子および大人用の計測プローブの端子を接続可能に構成されている。そのため、プローブ中継端子部７に挿入する端子を切り替えることにより、未就学児童用計測プローブ１００と大人用の計測プローブとを切り替えることが可能となる。また、未就学児童用計測プローブ１００を差し込む位置により、送光用プローブ１００ａと受光用プローブ１００ｂとを切り替えることができるように構成されている。
【００４４】
（本実施形態の効果）
本実施形態では、以下のような効果を得ることができる。
【００４５】
本実施形態では、未就学児童用計測プローブ１００は、上記のように、被検体である未就学児童Ｓの頭部に光を照射するファイバ１と、ファイバ１の先端部の外周面１ａを覆うようにファイバ１に設けられ、ゴムを除く金属または樹脂で形成された保持部２を備えた未就学児童Ｓの頭部に接触した状態で配置される脳機能測定用の未就学児童用計測プローブ１００であって、保持部２の未就学児童Ｓの頭部に接触する先端面の角部２２は、面取りされている。これにより、ゴムを除く金属または樹脂で形成され、未就学児童Ｓの頭部と接触するファイバ１の先端部の先端面が平坦であり、ファイバ１の先端部の外周面１ａを覆う保持部２の未就学児童Ｓの頭部に接触する先端面の角部２２が面取りされていることにより、頭部にかかる圧力が軽減されるため、ゴムパッドを設けなくとも、装着時の痛みを軽減することができる。
【００４６】
また、本実施形態では、上記のように、保持部２の未就学児童Ｓの頭部に接触する先端部２ａの角部２２は、Ｒ面取りされている。これにより、保持部２の先端面の角部２２が丸くなるため、未就学児童Ｓが未就学児童用計測プローブ１００を装着した際の痛みを効果的に抑制することができる。
【００４７】
また、本実施形態では、上記のように、保持部２は、金属により形成されているとともに、金属により形成されている保持部２の先端面の角部２２がＲ面取りされている。これにより、保持部２を金属製にすることによって、ファイバ１の強度を向上させることができる。
【００４８】
また、本実施形態では、上記のように、保持部２の外周面２ｂに配置され、保持部２を未就学児童Ｓの頭部に付勢する付勢部材３と、付勢部材３の移動を規制するためのストッパ４と、をさらに備え、保持部２の外周面２ｂには、ストッパ４を固定するための凹部２ｃが設けられている。これにより、凹部２ｃによりストッパ４を保持部２の所定の位置に配置できるとともに、ストッパ４により付勢部材３の移動を規制することにより未就学児童用計測プローブ１００を未就学児童Ｓの頭部に付勢することができる。そのため、未就学児童用計測プローブ１００を未就学児童Ｓに接触させた状態を維持することができる。また、未就学児童Ｓに使用するために未就学児童用計測プローブ１００およびホルダ２０を小型化し、ホルダ２０間のスペースが十分に取れない場合であっても、ファイバ１と未就学児童Ｓの頭部との密着強度を上げることできる。
【００４９】
また、本実施形態では、ファイバ１はＬ字形状に屈曲されており、先端面の角部２２が面取りされている保持部２は、ファイバ１のＬ字形状の屈曲部１ｂを覆うとともに、ファイバ１の先端まで延びるように構成されている。これにより、屈曲部１ｂを保持部２によって覆うことにより、ファイバ１を屈曲させた状態を維持できるため、未就学児童用計測プローブ１００をホルダ２０に容易に取り付けることができる。
【００５０】
また、本実施形態では、上記のように未就学児童用脳機能計測装置２００は、装置本体部６と、装置本体部６に電気的に接続された複数の未就学児童用計測プローブ１００と、複数の未就学児童用計測プローブ１００が取り付けられ、複数の未就学児童用計測プローブ１００が被検体である未就学児童Ｓの頭部に接続した状態を保持するホルダ２０と、を備え、未就学児童用計測プローブ１００は、被検体である未就学児童Ｓの頭部に光を照射するファイバ１と、ファイバ１の先端部の外周面１ａを覆うようにファイバ１に設けられ、ゴムを除く金属または樹脂で形成された保持部２とを含み、未就学児童Ｓの頭部と接触するファイバ１の先端部の先端面が平坦であり、保持部２の未就学児童Ｓの頭部に接触する先端部２ａの角部２２は、面取りされている。これにより、上記未就学児童用計測プローブ１００と同様に、未就学児童Ｓの頭部にかかる圧力を軽減することができる未就学児童用脳機能計測装置２００を提供することができる。
【００５１】
また、本実施形態では、上記のように、未就学児童用計測プローブ１００と装置本体部６との間に設けられ、複数の未就学児童用計測プローブ１００と装置本体部６とが接続されるとともに、装置本体部６と未就学児童用計測プローブ１００との間で所定の信号を送受信可能に構成されたプローブ中継端子部７をさらに備える。これにより、プローブ中継端子部７に接続させる計測用プローブを切り替えるだけで未就学児童用計測プローブ１００と大人用の計測プローブとを切り替えることができる。すなわち、容易に未就学児童用計測プローブ１００と大人用の計測プローブとを切り替えることができる。
【００５２】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、ファイバを有する計測プローブにより光を被検体に照射して脳機能計測を行う計測装置に本発明を適用した例を示したが、本発明はこれに限られない。本発明では、未就学児童用計測プローブを備えた未就学児童用脳機能計測装置であれば、光計測装置以外の未就学児童用脳機能計測装置に本発明を適用してもよい。
【００５４】
また、上記実施形態では、保持部の被検体の頭部に接触する先端面の角部は、Ｒ面取りされている例を示したが、本発明はこれに限られない、たとえば、保持部の被検体の頭部に接触する先端面の角部は、Ｃ面取りされていてもよい。
【００５５】
また、上記実施形態では、未就学児童用計測プローブをキャップによりホルダに固定する例を示したが、本発明はこれに限られない、たとえば、係合部材を設けてホルダに装着してもよい。
【００５６】
また、上記実施形態では、未就学児童用計測プローブがＬ字形状である例を示したが、本発明はこれに限られない、たとえば、屈曲部を設けずに直線形状にしてもよい。
【００５７】
また、上記実施形態では、未就学児童用計測プローブと装置本体部との間にプローブ中継端子部を設ける例を示したが、本発明はこれに限られない、たとえば、プローブ中継端子部を設けずに、未就学児童用計測プローブと装置本体部とを直接接続してもよい。
【００５８】
［態様］
上記した例示的な実施形態は、以下の態様の具体例であることが当業者により理解される。
（項目１）
被検体の頭部に接触した状態で配置される脳機能測定用の未就学児童用計測プローブであって、
前記被検体である未就学児童の頭部に光を照射するファイバと、
前記ファイバの先端部の外周面を覆うように前記ファイバに設けられ、ゴムを除く金属または樹脂で形成された保持部とを備え、
前記被検体の頭部と接触する前記ファイバの先端部の先端面が平坦であり、
前記保持部の前記被検体の頭部に接触する先端面の角部は、面取りされている、未就学児童用計測プローブ。
（項目２）
前記保持部の前記被検体の頭部に接触する先端面の角部は、Ｒ面取りされている、項目１に記載の未就学児童用計測プローブ。
（項目３）
前記保持部は、金属により形成されているとともに、金属により形成されている前記保持部の先端面の角部がＲ面取りされている、項目２に記載の未就学児童用計測プローブ。
（項目４）
前記保持部の外周面に配置され、前記保持部を前記被検体の頭部に付勢する付勢部材と、
前記付勢部材の移動を規制するためのストッパと、をさらに備え、
前記保持部の外周面には、前記ストッパを固定するための凹部が設けられている、項目１〜３のいずれか１項に記載の未就学児童用計測プローブ。
（項目５）
前記ファイバはＬ字形状に屈曲されており、
前記先端面の角部が面取りされている前記保持部は、前記ファイバの前記Ｌ字形状の屈曲部を覆うとともに、前記ファイバの先端まで延びるように構成されている、項目１〜４のいずれか１項に記載の未就学児童用計測プローブ。
（項目６）
装置本体部と、
前記装置本体部に電気的に接続された複数の未就学児童用計測プローブと、
前記複数の未就学児童用計測プローブが取り付けられ、前記複数の未就学児童用計測プローブが被検体である未就学児童の頭部に接続した状態を保持するホルダと、を備え、
前記未就学児童用計測プローブは、
前記被検体である未就学児童の頭部に光を照射するファイバと、
前記ファイバの先端部の外周面を覆うように前記ファイバに設けられ、ゴムを除く金属または樹脂で形成された保持部とを含み、
前記被検体の頭部と接触する前記ファイバの先端部の先端面が平坦であり、
前記保持部の前記被検体の頭部に接触する先端面の角部は、面取りされている、未就学児童用脳機能計測装置。
（項目７）
前記未就学児童用計測プローブと前記装置本体部との間に設けられ、前記複数の未就学児童用計測プローブと前記装置本体部とが接続されるとともに、前記装置本体部と前記未就学児童用計測プローブとの間で所定の信号を送受信可能に構成されたプローブ中継端子部７をさらに備える、項目６に記載の未就学児童用脳機能計測装置。
【符号の説明】
【００５９】
１  ファイバ
１ａ  外周面
１ｂ  屈曲部
１ｃ  凹部
２  保持部
２ａ  外周面
３  付勢部材
４  ストッパ
５  キャップ
６  装置本体部
７  プローブ中継端子
２０  ホルダ
５０  未就学児童
１００  未就学児童用計測プローブ
２００  未就学児童用脳機能計測装置
【図１】
2020156973.tif 000003
【図２】
2020156973.tif 000004
【図３】
2020156973.tif 000005
【図４】
2020156973.tif 000006
【図５】
2020156973.tif 000007
【図６】
2020156973.tif 000008
【図７】
2020156973.tif 000009
【図８】
2020156973.tif 000010